(57)【要約】【解決課題】省電力モードから撮影モードに移行する時間を短縮する。【解決手段】レンズと、このレンズを保護するレンズバリアと、このレンズバリアを開閉する制御を行なうレンズバリア開閉制御部と、レンズバリア開閉制御部によりレンズバリアを開状態にしてレンズを用いて撮影する撮影モードと、この撮影モードにおいて所定の指示に基づいて撮影を中断して省電力化する処理を行う省電力モードとの移行を制御するとともに、省電力モードにおいてレンズバリアを開状態に制御する制御部とを備える。【選択図】図７
2009042575.tif 000002
【特許請求の範囲】
【請求項１】
レンズと、
このレンズを保護するレンズバリアと、
このレンズバリアを開閉する制御を行なうレンズバリア開閉制御部と、
前記レンズバリア開閉制御部により前記レンズバリアを開状態にして前記レンズを用いて撮影する撮影モードと、この撮影モードにおいて所定の指示に基づいて前記撮影を中断して省電力化する処理を行う省電力モードとの移行を制御するとともに、前記省電力モードにおいて前記レンズバリアを開状態に制御する制御部と、
を備えることを特徴とする撮影装置。
【請求項２】
前記所定の指示を行なう入力部を備え、
前記制御部は、前記入力部による入力を受けて、前記撮影モードから前記省電力モードへの移行を制御することを特徴とする請求項１記載の撮影装置。
【請求項３】
前記制御部は、前記省電力モードにおいて、前記入力部による入力を再び受けると、前記省電力モードから前記撮影モードへの移行を制御することを特徴とする請求項２記載の撮影装置。
【請求項４】
レンズと、このレンズを保護するレンズバリアと、このレンズバリアを開閉する制御を行なうレンズバリア開閉制御部とを有する撮影装置のレンズバリア開閉制御方法において、
前記レンズバリア開閉制御部により前記レンズバリアを開状態にして前記レンズを用いて撮影する撮影モードと、この撮影モードにおいて所定の指示に基づいて前記撮影を中断して省電力化する処理を行う省電力モードとの移行を制御するとともに、前記省電力モードにおいて前記レンズバリアを開状態に制御するステップを備えることを特徴とする撮影装置のレンズバリア開閉制御方法。
【請求項５】
前記制御するステップは、前記所定の指示を入力する入力部の入力を受けて、前記撮影モードから前記省電力モードへの移行を制御することを特徴とする請求項４記載の撮影装置のレンズバリア開閉制御方法。
【請求項６】
前記制御するステップは、前記省電力モードにおいて、前記入力部による入力を再び受けると、前記省電力モードから前記撮影モードへの移行を制御することを特徴とする請求項５記載の撮影装置のレンズバリア開閉制御方法。
【発明の詳細な説明】
【技術分野】
【０００１】
本発明は、撮影装置及び撮影装置のレンズバリア開閉制御方法に関し、特に、消費電力を抑制するための省電力モード及びレンズバリアを備える撮影装置に適用しても好適なものである。
【背景技術】
【０００２】
撮影装置、例えば、ビデオカメラにはレンズバリアを備えたものが知られている。このビデオカメラのレンズバリアの開閉の制御技術として、表示部を備えた表示筐体の回動位置を検知する回動検出部と、回動検出部で検知された表示筐体の回動位置に基づいて、レンズバリア開閉制御部を制御する主制御部とを備え、主制御部は、表示筐体が表示部を本体の主面に対抗させた収納位置にある時は、レンズバリアを閉状態にするように制御し、表示筐体が収納位置から回動された位置にある時は、レンズバリアを開状態にするように制御することにより、少ない操作手順で撮影可能状態へ移行させることができるとともに、即時に撮影可能状態へ移行させることが可能なものが知られている（例えば、特許文献１参照）。
【０００３】
また、ビデオカメラで消費する電力の低減を図るべく、ユーザが例えば所定のボタンを押下すると、ビデオカメラ内の一部の回路に電力を供給し、その一部の回路以外への電力の供給を停止することにより、消費電力を低減させて省電力状態へ移行する省電力モードを有するビデオカメラも知られている。
【特許文献１】特開２００７−６０３０４号公報
【発明の開示】
【発明が解決しようとする課題】
【０００４】
レンズバリアを有するビデオカメラは、省電力モードにおいては撮影状態ではないためレンズを保護するためレンズバリアは閉状態となる。
【０００５】
このため、省電力モードから撮影を行なう撮影モードへ移行する際には、ビデオカメラはレンズバリアを閉状態から開状態にする制御を行なう必要が生じ、省電力モードから撮影モードに移行するのに時間を要し、結果的にユーザが撮影を行なうまでの待機時間が長くなるという問題がある。
【０００６】
特許文献１に記載された技術では、少ない操作手順で撮影可能状態へ移行させることができるとともに、即時に撮影可能状態へ移行させることが可能な撮影装置が記載されているが、省電力モード時から撮影モードに移行する際のレンズバリアの開閉制御の時間を短縮することについては全く考慮されていない。
【０００７】
本発明は、以上の点を考慮してなされたもので、省電力モードから撮影モードに移行する時間を短縮することができる撮影装置及び撮影装置のレンズバリアの制御方法を提案しようとするものである。
【課題を解決するための手段】
【０００８】
本発明は、レンズと、このレンズを保護するレンズバリアと、このレンズバリアを開閉する制御を行なうレンズバリア開閉制御部と、前記レンズバリア開閉制御部により前記レンズバリアを開状態にして前記レンズを用いて撮影する撮影モードと、この撮影モードにおいて所定の指示に基づいて前記撮影を中断して省電力化する処理を行う省電力モードとの移行を制御するとともに、前記省電力モードにおいて前記レンズバリアを開状態に制御する制御部とを備える撮影装置である。
【発明の効果】
【０００９】
本発明によれば、省電力モードから撮影モードに移行する時間を短縮することができる撮影装置及び撮影装置のレンズバリアの制御方法を提案することができる。
【発明を実施するための最良の形態】
【００１０】
以下、本発明の一実施の形態について図面を参照して説明する。なお、以下の実施の形態では、本発明の撮像装置をビデオカメラ１に適用した場合で説明する。また、本願発明は撮影装置におけるレンズバリアの開閉制御に関する発明のため、以下の実施の形態においてその開閉制御に関連しないビデオカメラ１の他の部材の構成については詳細な説明を省略している。
【００１１】
図１はビデオカメラ１の前面側を示す図である。図１に示すように、ビデオカメラ１は、レンズバリア１１、省電力モードボタン１４及び表示筐体２７を有している。レンズバリア１１は、ビデオカメラ１の鏡筒部内に配置される後述するレンズを保護するものである。図２は、ビデオカメラ１のレンズバリア１１が開かれた状態１２を示す図である。
【００１２】
省電力モードボタン１４は、ビデオカメラ１を撮影可能な状態である撮影モードから省電力モードへ移行させ、又は、ビデオカメラ１を省電力モードから撮影モードへ移行させるためのボタンである。省電力モードは、ビデオカメラ１内の一部の装置にのみ電源を供給することにより、再起動の高速化を図るとともに消費する電力を低減させるためのモードである。
【００１３】
表示筐体２７は、ビデオカメラ１本体との接触面側に後述する表示部を備えており、ビデオカメラ１先端側に設けられた支持部材によって開閉可能となっている。
【００１４】
図３は、ビデオカメラ１の背面側を示す図である。図３に示すように、ビデオカメラ１の背面には、電源スイッチ１３が設けられている。電源スイッチ１３は、ビデオカメラ１に電源供給の指示を行なうために用いられるスイッチである。ユーザは、電源スイッチ１３を周方向に回動させて電源ＯＮ（入）、電源ＯＦＦ（切）等をビデオカメラ１に指示する。
【００１５】
図４は、ビデオカメラ１の操作部１７を示す図であり、ビデオカメラ１の表示筐体２７が開かれた状態にあるときの側面側を示している。操作部１７にはビデオカメラ１を操作するための複数のボタン等が設けられている。この複数のボタンは、例えば、ガイド、逆光補正、露出、フォーカス、画面表示、ファイナライズ等の操作をユーザが行なうためのボタンである。
【００１６】
図５は、ビデオカメラ１の内部構成を概略的に示すブロック図である。ビデオカメラ１は、既述の電源スイッチ１３、省電力モードボタン１４及び操作部１７に加え、レンズ２１、撮像素子２２、レンズバリア１１、映像信号処理部２４、表示制御部２５、表示部２６、表示筐体２７、記録再生部２８、レンズバリア開閉制御部２９及び主制御部４１を有している。
【００１７】
また、既述の省電力モードボタン１４は、省電力モードスイッチ１５及び省電力モードＬＥＤランプ１６により一体的に構成されている。省電力モードスイッチ１５は、ビデオカメラ１を撮影可能な状態である撮影モードから省電力モードへ移行させ、又は、ビデオカメラ１を省電力モードから撮影モードへ移行させる指示を行なうスイッチである。省電力モードＬＥＤランプ１６は、ビデオカメラ１が省電力モードにあるときに発光するランプである。ユーザは、省電力モードＬＥＤランプ１６が発光しているか否かにより、ビデオカメラ１が省電力モードとなっているか否かを認識することができる。
【００１８】
レンズバリア１１は、レンズ２１の光軸方向前段に開閉自在に配される。撮像素子２２は、レンズ２１を介して入射される光信号を電気信号に変換して出力するものである。映像信号処理部２４は、撮像素子２２から出力される電気信号に基づき、映像信号を生成し、ノイズ除去や画質調整や圧縮処理などの各種信号処理を施す。表示制御部２５は、映像信号処理部２４から出力される映像信号を表示部２６に表示させるよう制御する。表示部２６は、表示筐体２７に備えられ、表示制御部２５からの制御によって映像信号を表示させることができる。記録再生部２８は、映像信号処理部２４から出力される映像信号を、ハードディスクドライブ、ディスクドライブ及び半導体メモリカードなどの情報媒体に記録させる。レンズバリア開閉制御部２９は、主制御部４１からの制御によって、レンズバリア１１を開閉制御する。
【００１９】
主制御部４１は、ビデオカメラ１全体のシステム制御を行う。図６は、主制御部４１の構成の一部を示す図である。図６に示すように、主制御部４１は、ＣＰＵ４２及びメモリ４３を含んでいる。メモリ４３には、レンズバリア開閉制御プログラム４４が記憶されている。ＣＰＵ４２は、メモリ４３に記憶されたレンズバリア開閉制御プログラム４４を実行することにより、本発明のレンズバリア１１の開閉制御を実現する。
【００２０】
次に、主制御部４１がレンズバリア開閉制御プログラム４４を実行したときのレンズバリア開閉処理について説明する。図７は、レンズバリア開閉処理を示すフローチャートである。このレンズバリア開閉処理は、ユーザにより電源スイッチ１３が操作されビデオカメラ１の電源がＯＮ状態、つまり、撮影可能状態における処理である。この撮影可能状態のときは、当然ながら、図２に示すように、レンズバリア１１は開状態１２となっている。
【００２１】
主制御部４１は、ビデオカメラ１が撮影可能状態、すなわち、撮影モードにあるときに（Ｓ１０１）、省電力モードスイッチ１５から送信される信号に基づいて省電力モードスイッチ１５がＯＮであるか否かについて判定する（Ｓ１０２）。このステップＳ１０２において、省電力モードスイッチ１５がＯＮでない場合は（Ｓ１０２：ＮＯ）、主制御部４１は、電源スイッチ１３から送信される信号に基づいて電源スイッチ１３がＯＦＦであるか否かについて判定する（Ｓ１０３）。このステップＳ１０３において、電源スイッチ１３がＯＦＦでない場合は（Ｓ１０３：ＮＯ）、主制御部４１は、ステップＳ１０２の処理を再び実行する。すなわち、主制御部４１は、撮影モードにあるときは、省電力モードスイッチ１５及び電源スイッチ１３からの信号を監視している。
【００２２】
主制御部４１は、ステップＳ１０３において電源スイッチ１３がＯＦＦであると判定すると（Ｓ１０３：ＹＥＳ）、ステップＳ１０４において、主制御部４１はレンズバリア開閉制御部２９へレンズバリア１１を閉じるための指示を出す。これにより、レンズバリア開閉制御部２９は、レンズバリア１１を閉じる制御を行い、レンズバリア１１は閉状態となる。そして、ステップＳ１０５において、主制御部４１はビデオカメラ１の電源をＯＦＦする。
【００２３】
一方、ステップＳ１０２において、主制御部４１は省電力モードスイッチ１５がＯＮであると判定した場合は（Ｓ１０２：ＹＥＳ）、主制御部４１はレンズバリア１１を開状態のままで省電力モードへ移行する（Ｓ１０６）。これにより、ビデオカメラ１内の一部の装置（例えば、ハードディスクドライブ等の起動に時間のかかる装置）にしか電源が供給されなくなり、省電力化を図ることができる。
【００２４】
ステップＳ１０７において、主制御部４１は省電力モードスイッチ１５がＯＮされたか否かを判定する。すなわち、ビデオカメラ１が省電力モードとなっているときに再び省電力モードボタン１４がユーザにより押下されたか否かが判定される。省電力モードスイッチ１５がＯＮされたと判定されない場合は（Ｓ１０７：ＮＯ）、主制御部４１は、省電力モードスイッチ１５がＯＮと判定されるまで省電力モードスイッチ１５からの信号を監視する。
【００２５】
主制御部４１は省電力モードスイッチ１５がＯＮされたと判定した場合は（Ｓ１０７：ＹＥＳ）、主制御部４１は、ステップＳ１０８において、ビデオカメラ１を省電力モードから撮影モードへ移行する処理を行う。これにより、ビデオカメラ１内部の装置に電源が供給され、再び撮影可能な状態（Ｓ１０１）となる。
【００２６】
この実施の形態のビデオカメラ１によると、省電力モードにあるときにレンズバリア１１が開状態であるため、省電力モードから撮影モードに復帰する際、レンズバリア１１を閉状態から開状態にする制御を行なう必要がなく、省電力モードから高速で撮影モードに移行させることができ、ビデオカメラ１が撮影できる状態となるまでの時間を短縮することができる。
【００２７】
なお、上記実施の形態では、ビデオカメラ１に省電力モードＬＥＤランプ１６を設け、ユーザに省電力モードであることを報知する構成としているが、ビデオカメラ１は省電力モードＬＥＤランプ１６を設ける構成としなくても良い。ビデオカメラ１は、レンズバリア１１が開状態であるときは、撮影可能状態、又は省電力モードボタン１４を入力することにより高速で撮影可能な状態であることを報知することができるからである。つまり、レンズバリア１１が開状態にあるときは、直ちに撮影できる状態であることをユーザに報知することができるため、省電力モードＬＥＤランプ１６を省く構成とすることが可能である。
【００２８】
なお、この実施の形態は本発明を、レンズ２１と、このレンズ２１を保護するレンズバリア１１と、このレンズバリア１１を開閉する制御を行なうレンズバリア開閉制御部２９と、レンズバリア開閉制御部２９によりレンズバリア１１を開状態にしてレンズ２１を用いて撮影する撮影モードと、この撮影モードにおいて所定の指示に基づいて撮影を中断して省電力化する処理を行う省電力モードとの移行を制御するとともに、省電力モードにおいてレンズバリア１１を開状態に制御する主制御部４１とを備えるビデオカメラ１に適用した場合で説明したが、これに限られるものではなく、レンズバリアを有する撮影装置に広く適用することが可能である。
【００２９】
また、省電力モードへ移行する指示を行なう省電力モードボタン１４を備え、主記制御部４１は、省電力モードボタン１４の入力を受けて、撮影モードから省電力モードへ移行する場合で説明しているが、移行の契機は省電力モードボタン１４の入力に限られるものではない。
【００３０】
本発明は、レンズバリアを有する撮影装置及びその撮影装置のレンズバリア開閉制御方法に広く適用することができる。
【図面の簡単な説明】
【００３１】
【図１】本発明に係わる撮影装置の前面側を示す図である。
【図２】本発明に係わる撮影装置のレンズバリアの開状態を示す図である。
【図３】本発明に係わる撮影装置の背面側を示す図である。
【図４】本発明に係わる撮影装置の操作部を示す図である。
【図５】本発明に係わる撮影装置の内部構成を概略的に示すブロック図である。
【図６】本発明に係わる制御部の構成の一部を示す図である。
【図７】本発明に係わるレンズバリア開閉処理を示すフローチャートである。
【符号の説明】
【００３２】
１…ビデオカメラ、１３…電源スイッチ、１４…省電力モードボタン１４、１５…省電力モードスイッチ、１６…省電力モードＬＥＤランプ、２１…レンズ、２９…レンズバリア開閉制御部、４１…主制御部、４２…ＣＰＵ、４３…メモリ、４４…レンズバリア開閉制御プログラム
【図１】
2009042575.tif 000003
【図２】
2009042575.tif 000004
【図３】
2009042575.tif 000005
【図４】
2009042575.tif 000006
【図５】
2009042575.tif 000007
【図６】
2009042575.tif 000008
【図７】
2009042575.tif 000009